(57)【特許請求の範囲】
【請求項１】
上面に第１および第２開口部が前側から後側に向かって連続して設けられたケーシングと、前記ケーシングの内部の収納位置と前記第１開口部から上方へ突出する使用位置との間を移動可能なコンバイナと、前記ケーシングの内部の投光部から前記第２開口部を通して前記使用位置にある前記コンバイナに表示光を照射する発光ユニットと、前記第１開口部を開閉可能な第１カバーと、前記第２開口部を開閉可能な第２カバーと、前記コンバイナと前記第１カバーおよび前記第２カバーを動作させる駆動制御手段とを備え、
前記第１カバーは前記第１開口部を閉鎖する閉鎖位置から前方へ移動して前記ケーシングの内部に没入可能であると共に、前記第２カバーは前記第２開口部を閉鎖する閉鎖位置から前方へ移動して前記ケーシングの内部に没入可能であり、
前記駆動制御手段は、前記コンバイナを前記使用位置よりも上方の最上位置へ移動させた状態で前記第２カバーを前方へ移動させ、前記第２カバーが前記ケーシングの内部に没入した後に、前記コンバイナを前記最上位置から前記使用位置に下降させることを特徴とするヘッドアップディスプレイ装置。
【請求項２】
請求項１の記載において、前記ケーシングの内部に前記コンバイナを移動可能に支持する一対のガイド部材が設けられており、前記第２カバーの左右方向における幅寸法Ｗ２が前記一対のガイド部材の対向間距離Ｗ１よりも狭く設定されていることを特徴とするヘッドアップディスプレイ装置。
【請求項３】
請求項２の記載において、前記コンバイナの下端部に支持体が固定されており、前記支持体の左右両端部から突出する一対の脚片が前記ガイド部材に移動可能に支持されていることを特徴とするヘッドアップディスプレイ装置。
【請求項４】
請求項３の記載において、前記第２カバーの左右方向における幅寸法Ｗ２が前記一対の脚片の左右方向における幅寸法よりも狭く設定されていることを特徴とするヘッドアップディスプレイ装置。
【発明の詳細な説明】
【技術分野】
【０００１】
本発明は、コンバイナを用いて運転者に車両情報やナビゲーション情報等を表示するヘッドアップディスプレイ装置に関するものである。
【背景技術】
【０００２】
従来より、コンバイナと発光ユニットをダッシュボードの内部に収納し、使用時にコンバイナをダッシュボードの上面から突出させた状態で、このコンバイナに対して発光ユニットから表示光を照射することにより、フロントガラスよりも運転者側に配置されたコンバイナに虚像を表示するようにしたヘッドアップディスプレイ装置（以下、ＨＵＤ装置と称する）が知られている。
【０００３】
このようなＨＵＤ装置の一例として、特許文献１に開示されているように、コンバイナと発光ユニットを収納するケーシングの上面にコンバイナの出し入れを可能とする開口部を設け、非使用時には、この開口部を２枚のカバーによって閉鎖しておき、使用時には、２枚のカバーを前方（フロントガラス側）と後方（運転手側）へ逆向きに回動してケーシングの内部に収納すると共に、それに伴って開放する開口部からコンバイナをケーシングの上方へ突出させ、この状態で発光ユニットの表示光を開口部を通してコンバイナに照射するように構成したものが提案されている。
【０００４】
また、かかるＨＵＤ装置の他の例として、特許文献２に開示されているように、ケーシングの上面に設けられた開口部を２枚のカバーによって開閉可能となし、使用時には、２枚のカバーを互いの重なり幅が増えるように前方へ回動してケーシングの内部に収納させた後、両カバーの回動によって開放した開口部からコンバイナをケーシングの上方へ突出させ、この状態で発光ユニットの表示光を開口部を通してコンバイナに照射するように構成したものが提案されている。
【先行技術文献】
【特許文献】
【０００５】
【特許文献１】特開２０１２−２５４７０７号公報
【特許文献２】特開２０１４−２０１１０４号公報
【発明の概要】
【発明が解決しようとする課題】
【０００６】
特許文献１に開示された前者のＨＵＤ装置では、２枚のカバーを前方と後方へ逆向きに回動することで開口部が開放されるようになっているため、２枚のカバーをケーシングの内部に収納して開口部を開放させる動作と、コンバイナをケーシングの内部から開口部の上方へ突出させる動作とを同時に行うことができ、使用時にコンバイナをケーシングの内部から上方へ短時間で突出させることが可能となる。しかし、開口部の開放時に一方のカバーを後方（運転手側）へ回動してケーシングの内部空間に収納する必要があるため、ケーシング内の後方下部の設計自由度が大きく制限されてしまい、運転席の前方に設置されるスピードメータ等の計器類の設置スペースと干渉してしまうという問題があった。
【０００７】
これに対して特許文献２に開示され後前者のＨＵＤ装置では、２枚のカバーを前方へ回動させながら一方を他方の下側に潜り込ませることで開口部が開放されるようになっているため、装置全体が前後方向に大型化してしまうことはなくなる。しかし、前方へ回動する二枚のカバーがコンバイナの移動経路を完全に通過した後に、コンバイナをケーシングの内部から上方へ突出させることによって、コンバイナと他方のカバーとの干渉を防止するようにしているため、コンバイナを直ちに立ち上げ動作することができないという問題があった。
【０００８】
本発明は、このような従来技術の実情に鑑みてなされたもので、その目的は、コンバイナを直ちに立ち上げ動作させることができると共に、後方下部の設計自由度を高めて他の機器との干渉を防止することができるヘッドアップディスプレイ装置を提供することにある。
【課題を解決するための手段】
【０００９】
上記の目的を達成するために、本発明のヘッドアップディスプレイ装置は、上面に第１および第２開口部が前側から後側に向かって連続して設けられたケーシングと、前記ケーシングの内部の収納位置と前記第１開口部から上方へ突出する使用位置との間を移動可能なコンバイナと、前記ケーシングの内部の投光部から前記第２開口部を通して前記使用位置にある前記コンバイナに表示光を照射する発光ユニットと、前記第１開口部を開閉可能な第１カバーと、前記第２開口部を開閉可能な第２カバーと、前記コンバイナと前記第１カバーおよび前記第２カバーを動作させる駆動制御手段とを備え、前記第１カバーは前記第１開口部を閉鎖する閉鎖位置から前方へ移動して前記ケーシングの内部に没入可能であると共に、前記第２カバーは前記第２開口部を閉鎖する閉鎖位置から前方へ移動して前記ケーシングの内部に没入可能であり、前記駆動制御手段は、前記コンバイナを前記使用位置よりも上方の最上位置へ移動させた状態で前記第２カバーを前方へ移動させ、前記第２カバーが前記ケーシングの内部に没入した後に、前記コンバイナを前記最上位置から前記使用位置に下降させることを特徴としている。
【００１０】
このように構成されたヘッドアップディスプレイ装置では、コンバイナの移動経路上に設けられた第１開口部が第１カバーによって開放動作されると共に、発光ユニットの投光部からコンバイナに照射される光路上に設けられた第２開口部が第２カバーによって開放動作されるが、コンバイナを使用位置よりも上方の最上位置まで移動させた状態で、第２カバーがコンバイナの移動経路を横切って開放動作されるようになっているため、第２カバーをコンバイナと干渉することなくケーシングの内部に収納させることができる。したがって、第２カバーの開放動作前にコンバイナを直ちに立ち上げ動作させることができると共に、第１および第２カバーが両方共に前方へ移動してケーシング内の収納されるようになっているため、後方下部の設計自由度を高めて他の機器との干渉を防止することもできる。
【００１１】
上記の構成において、ケーシングの内部にコンバイナを移動可能に支持する一対のガイド部材が設けられており、第２カバーの左右方向における幅寸法Ｗ２が一対のガイド部材の対向間距離Ｗ１よりも狭く設定されていると、第２カバーが最上位置にあるコンバイナの下方を通過してケーシングの内部に収納されるとき、ケーシング内に没入した第２カバーとガイド部材との干渉を防止することができて好ましい。
【００１２】
この場合において、コンバイナの下端部に支持体が固定されており、この支持体の左右両端部から突出する一対の脚片がガイド部材に移動可能に支持されていると、コンバイナを収納位置と最上位置との間で安定的に移動することができる。なお、第２カバーの左右方向における幅寸法Ｗ２が一対の脚片の左右方向における幅寸法よりも狭く設定されていると、第２カバーと一対の脚片の干渉を防止することができる。
【発明の効果】
【００１３】
本発明のヘッドアップディスプレイ装置によれば、コンバイナを直ちに立ち上げ動作させることができると共に、後方下部の設計自由度を高めて他の機器との干渉を防止することができる。
【図面の簡単な説明】
【００１４】
【図１】本発明の実施形態例に係るヘッドアップディスプレイ装置を示す非使用時の斜視図である。
【図２】ヘッドアップディスプレイ装置の非使用時の断面図である。
【図３】ヘッドアップディスプレイ装置の使用時の断面図である。
【図４】図１のヘッドアップディスプレイ装置からケーシングを取り除いて示す斜視図である。
【図５】ヘッドアップディスプレイ装置に備えられるコンバイナと第２カバーの開閉機構の要部を示す斜視図である。
【図６】コンバイナのガイド機構と第２カバーの関係を示す説明図である。
【図７】ヘッドアップディスプレイ装置に備えられる駆動機構の要部説明図である。
【図８】コンバイナの収納状態を示す説明図である。
【図９】第１カバーの収納完了状態を示す説明図である。
【図１０】コンバイナの立ち上げ途中状態を示す説明図である。
【図１１】コンバイナが最上位置へ移動した状態を示す説明図である。
【図１２】第２カバーの移動開始状態を示す説明図である。
【図１３】コンバイナが最上位置から使用位置に下降した状態を示す説明図である。
【図１４】コンバイナのチルト動作を示す説明図である。
【発明を実施するための形態】
【００１５】
発明の実施の形態について図面を参照して説明すると、本実施形態例に係るヘッドアップディスプレイ装置１（以下、ＨＵＤ装置１と称す）は、車室内の運転席よりも前方のダッシュボードに配置され、車両情報やナビゲーション情報等を表示する表示装置である。なお、以下の説明では、図１の矢印で示すＹ１−Ｙ２方向を前後方向、Ｘ１−Ｘ２方向を左右方向、Ｚ１−Ｚ２方向を上下方向とする。
【００１６】
このＨＵＤ装置１は、上面に第１および第２開口部２，３を有する上部ケース４と、上部ケース４の内部に収納されて第１開口部２から上方へ突出可能なコンバイナ５と、上部ケース４の内部に配置されて第２開口部３を通して外部に表示光を照射可能な発光ユニット６と、第１開口部２を開閉可能な第１カバー７と、第２開口部３を開閉可能な第２カバー８と、これらコンバイナ５と第１カバー７および第２カバー８を動作させる駆動機構９等を備えており、非使用時にコンバイナ５を上部ケース４の内部に収納しておき、このコンバイナ５を使用時に上部ケース４の内部から上方へ突出させるというポップアップタイプのものである。
【００１７】
上部ケース４は下部ケース１０と組み合わされて中空構造のケーシング１１を構成しており、図５に示すように、このケーシング１１の内部には筐体状のシャーシ１２が配設されている。ケーシング１１は上部ケース４の上面を露出させた状態でダッシュボードの凹所内に配置されるようになっており、その場合、運転席から見て第２開口部３が手前側で第１開口部２が前方側（フロントガラス側）を向くように配置される。
【００１８】
第１開口部２はコンバイナ５の移動経路上に設けられており、第２開口部３は発光ユニット６の後述する投光部から突出状態のコンバイナ５に向けて照射される光路上に設けられている。これら第１開口部２と第２開口部３は前側から後側に向かって連続形成され、互いの一辺を共通する長方形状の切欠きであるが、第１開口部２が前後方向に比べて左右方向の長さが遥かに長い横長形状であるのに対し、第２開口部３の左右方向の長さは第１開口部２に比べて幾分短めに設定されている。
【００１９】
コンバイナ５はハーフミラー等からなる表示パネルユニットであり、矩形状の透明板を前方側へ緩やかに湾曲させた形状となっている。図５に示すように、コンバイナ５の下辺部には支持体１３が固定されており、この支持体１３の左右両端部には脚片１３ａが突設されている。これら脚片１３ａには軸部１３ｂと長孔１３ｃおよび突起１３ｄが設けられており、軸部１３ｂには作動板１４が回転可能に連結されている。この作動板１４の外表面には一対のガイドピン１４ａが設けられており、作動板１４の内表面には連結ピン１４ｂが設けられている。この連結ピン１４ｂは脚片１３ａの長孔１３ｃ内に移動可能に挿入されており、支持体１３と作動板１４の相対角度は連結ピン１４ｂが長孔１３ｃを移動できる範囲内に規定されている。また、作動板１４には第１リンクアーム１５が回転可能に連結されており、この第１リンクアーム１５の先端部には中継ギア１６が固定されている。さらに、中継ギア１６には扇形ギア１７が噛合されており、この扇形ギア１７にはガイドピン１７ａが設けられている。
【００２０】
図２に示すように、発光ユニット６はシャーシ１２の後方下部に配設されており、発光ユニット６から出射された表示光は、第２開口部３の前方下部に配置された第１ミラー１８で反射した後、第２開口部３の後方下部に配置された第２ミラー１９へ向かうようになっている。この第２ミラー１９は発光ユニット６の投光部に相当する部位であり、詳細については後述するが、図３に示すように、コンバイナ５が第１開口部２から突出して使用位置にあるとき、第２ミラー１９（投光部）で反射した発光ユニット６の表示光は第２開口部３を通ってコンバイナ５に照射される。
【００２１】
図７に示すように、第１カバー７は第１開口部２とほぼ同形状の蓋部７ａを有しており、この蓋部７ａの左右両端部から突出する脚片７ｂの先端部にはガイドピン７ｃが設けられている。第１カバー７は脚片７ｂの軸部７ｄを中心としてシャーシ１２に回転可能に支持されており、ガイドピン７ｃは後述する駆動板のカム孔に挿入されるようになっている。
【００２２】
図５に示すように、第２カバー８は第２開口部３とほぼ同形状の蓋部８ａを有しており、この蓋部８ａの四隅から突出する脚片８ｂのうち、後側の脚片８ｂには一対のガイドピン８ｃが設けられている。また、第２カバー８の前側の脚片８ｂには第２リンクアーム２０が回転可能に連結されており、この第２リンクアーム２０の先端部にはピン２１が設けられている。
【００２３】
図４に示すように、シャーシ１２の左右両側部には一対の第１ガイド部材２２と一対の第２ガイド部材２３がそれぞれ取り付けられている。第１ガイド部材２２には斜め方向へ延びるガイド孔２２ａが形成されており、このガイド孔２２ａに作動板１４のガイドピン１４ａが挿入されることにより、コンバイナ５と支持体１３および作動板１４が第１ガイド部材２２に移動可能に支持されている（図７参照）。また、第２ガイド部材２３にはガイド孔２３ａが形成されており、このガイド孔２３ａに第２カバー８のガイドピン８ｃが移動可能に挿入されている。
【００２４】
ここで、図６に示すように、一対の第１ガイド部材２２の対向間距離Ｗ１に対して第２カバー８の左右方向における幅寸法Ｗ２は狭く設定されており、詳細については後述するが、第２カバー８はコンバイナ５を移動可能に支持する一対の第１ガイド部材２２の間を通ってケーシング１１の内部に没入動作されるようになっている。また、第２カバー８の左右方向における幅寸法Ｗ２は、支持体１３から突出する一対の脚片１３ａの左右方向における幅寸法よりも狭く設定されている。
【００２５】
また、シャーシ１２の左右両側部には駆動板２４が前後方向へ移動可能に支持されており、この駆動板２４はコンバイナ５の側方に配置されてコンバイナ５の収納位置の前側から後側に向かって延在している。駆動板２４には第１〜第３のカム孔２４ａ，２４ｂ，２４ｃと２つのガイド孔２４ｄが形成されており、これらガイド孔２４ｄにはシャーシ１２に設けたガイドピン１２ａが移動可能に挿入されている。また、第１のカム孔２４ａには第１カバー７の先端側のガイドピン７ｃが移動可能に挿入され、第２のカム孔２４ｂには扇形ギア１７のガイドピン１７ａが移動可能に挿入され、第３のカム孔２４ｃには第２リンクアーム２０のピン２１が移動可能に挿入されている。
【００２６】
したがって、駆動板２４が前後方向へ移動すると、ガイドピン７ｃが第１のカム孔２４ａ内を摺動することにより、第１カバー７が軸部７ｄを回転中心として回動し、それに伴って第１開口部２の開閉動作を行うことができる。また、このように駆動板２４が前後方向へ移動すると、扇形ギア１７のガイドピン１７ａが第２のカム孔２４ｂに沿って移動するため、扇形ギア１７の回転に伴って中継ギア１６が回転する。その結果、中継ギア１６の回転が第１リンクアーム１５を介して作動板１４に伝達され、作動板１４のガイドピン１４ａが第１ガイド部材２２のガイド孔２２ａ内を摺動するため、作動板１４と支持体１３がガイド孔２２ａに沿って一体的に移動し、支持体１３に保持されたコンバイナ５をケーシング１１の内部と第１開口部２の外部との間で移動させることができる。さらに、駆動板２４が前後方向へ移動すると、ピン２１が第３のカム孔２４ｃ内を摺動することによって第２リンクアーム２０が回動し、それに伴って第２カバー８のガイドピン８ｃが第２ガイド部材２３のガイド孔２３ａに沿って移動するため、第２カバー８が回動して第２開口部３の開閉動作を行うことができる。
【００２７】
駆動板２４の上面にはラック２４ｅが形成されており、図４に示すように、このラック２４ｅにはギア２５が噛合されている。ギア２５はシャーシ１２の左右方向へ延びる同期シャフト２６の両端に固着されており、シャーシ１２の前方下部に配設されたモータ２７を駆動源として同期シャフト２６が回転すると、左右一対の駆動板２４が前後方向へ移動するようになっている。
【００２８】
また、駆動板２４の上部には押圧突起２４ｆが形成されており、詳細については後述するが、コンバイナ５の立ち上げ動作が完了した後に駆動板２４をさらに移動させると、押圧突起２４ｆが突起１３ｄに当接して支持体１３を回転させることにより、コンバイナ５のチルト動作を行うことができるようになっている。なお、これらモータ２７やギア２５、駆動板２４、扇形ギア１７、中継ギア１６、第１および第２リンクアーム１５，２０、作動板１４等によって、コンバイナ５と第１カバー７および第２カバー８を動作させる駆動機構９（駆動制御手段）が構成されている。
【００２９】
次に、このように構成されたＨＵＤ装置１におけるコンバイナ５の立ち上げ動作を、図８〜図１５を参照しつつ説明する。
【００３０】
図１，２はＨＵＤ装置１の非使用状態を示しており、この非使用状態において、上部ケース４の上面に設けられた第１開口部２と第２開口部３はそれぞれ第１カバー７と第２カバー８によって閉鎖されており、コンバイナ５はケーシング１１の内部の収納位置に保持されている。この場合、図８に示すように、駆動板２４は図中左端の前進位置で停止しており、第１カバー７のガイドピン７ｃは第１のカム孔２４ａの図中右端部と係合し、扇形ギア１７のガイドピン１７ａは第２のカム孔２４ｂの図中右端部と係合し、第２リンクアーム２０のピン２１は第３のカム孔２４ｃの図中右端部と係合している。また、作動板１４のガイドピン１４ａは第１ガイド部材２２のガイド孔２２ａの下端部と係合しており、コンバイナ５は最も下端側の収納位置で停止している。
【００３１】
この状態でモータ２７を正逆いずれか一方向へ回転駆動すると、モータ２７の回転が同期シャフト２６を介してギア２５に伝達されるため、駆動板２４が前進位置から後退位置に向かって図中右方向（矢印Ａ方向）へ移動し始める。これにより、図９に示すように、第１カバー７のガイドピン７ｃが第１のカム孔２４ａの傾斜部を越えて上段の直線部へ移行するため、第１カバー７が軸部７ｄを中心に前方へ回動して上部ケース４の内部に収納され、それに伴って第１開口部２が開放される。
【００３２】
また、このように駆動板２４が後退位置に向かって移動し始めると、扇形ギア１７のガイドピン１７ａが第２のカム孔２４ｂの傾斜部へ移行するため、扇形ギア１７が図中の反時計回りに回転して中継ギア１６を時計回りに回転させる。これにより、中継ギア１６に固定された第１リンクアーム１５の動きが作動板１４に伝達され、作動板１４のガイドピン１４ａが第１ガイド部材２２のガイド孔２２ａの下端部から上方へ移行するため、それに伴って作動板１４と支持体１３の脚片１３ａが一体的に上方へ移動し、支持体１３に保持されたコンバイナ５が収納位置から第１開口部２に向かって上昇し始める。
【００３３】
駆動板２４がさらに後退位置に向かって移動し続けると、図１０に示すように、扇形ギア１７のガイドピン１７ａが第２のカム孔２４ｂの傾斜部内を移行するため、コンバイナ５が第１開口部２から上部ケース４の上方へ突出し始める。そして、図１１に示すように、扇形ギア１７のガイドピン１７ａが第２のカム孔２４ｂの傾斜部を越えて下段側のガイド部まで移行すると、コンバイナ５は第１開口部２から最も突出した最上位置まで移動し、この間、第２リンクアーム２０のピン２１は第３のカム孔２４ｃの直線部内を移行するため、第２カバー８は第２開口部３を閉鎖する位置で停止したまま非動作状態を維持する。
【００３４】
このようにしてコンバイナ５が最上位置まで移動した後、駆動板２４がさらに後退位置に向かって移動すると、図１２に示すように、第２リンクアーム２０のピン２１が第３のカム孔２４ｃの直線部から傾斜部へ移行するため、第２リンクアーム２０が図中の反時計回りに回動し、その動きが第２リンクアーム２０に伝達される。これにより、第２カバー８のガイドピン８ｃが第２ガイド部材２３のガイド孔２３ａの図中右端部から左方向へ移行するため、第２カバー８が前方へ回動しながら上部ケース４の内部へと向かい、それに伴って第２開口部３の後端側が次第に開放されていく。
【００３５】
このとき、最上位置で停止しているコンバイナ５の支持体１３は第２カバー８の移動経路よりも上方にあり、コンバイナ５の下方には第２カバー８との干渉を避けるのに十分なスペースが確保されている。そして、第２カバー８の左右方向における幅寸法Ｗ２が一対の第１ガイド部材２２の対向間距離Ｗ１よりも狭く設定されているため（図６参照）、第２カバー８は一対の第１ガイド部材２２の間を通ってコンバイナ５と干渉することなくケーシング１１の内部に入り込んでいく。
【００３６】
このようにして第２カバー８が上部ケース４の内部に収納された後、駆動板２４がさらに後退位置に向かって移動すると、図１３に示すように、扇形ギア１７のガイドピン１７ａが第２のカム孔２４ｂのガイド部に形成された逆向きの傾斜部内を移行するため、コンバイナ５が最上位置から使用位置まで下降する。そして、この時点でモータ２７を停止することによってコンバイナ５の立ち上げ動作が完了し、コンバイナ５がその全体を第１開口部２から突出した使用位置に保持されると共に、第２カバー８が第２開口部３を全開状態とするように上部ケース４の内部に収納される。
【００３７】
図３はコンバイナ５の立ち上げ動作が完了したＨＵＤ装置１の使用状態を示しており、この使用状態において、発光ユニット６から表示光が出射されると、この表示光は第１ミラー１８と第２ミラー１９で反射した後に第２開口部３を通ってコンバイナ５に照射される。その際、第１カバー７はコンバイナ５の移動経路の前方位置で停止しており、第２カバー８はその前端部をコンバイナ５が収納位置で専有していた空間Ｓに入り込ませた状態で停止している。
【００３８】
なお、このＨＵＤ装置１には、使用位置に保持されたコンバイナ５の向きを調整可能なチルト機能が備えられている。すなわち、コンバイナ５の立ち上げ動作が完了した後に、駆動板２４を図１３に示す後退位置から図中右方へさらに移動すると、図１４に示すように、駆動板２４の押圧突起２４ｆが支持体１３の突起１３ｄを押圧するため、軸部１３ｂを介して回転可能に連結された支持体１３と作動板１４の相対角度が変化する。これにより、支持体１３に一体化されたコンバイナ５が軸部１３ｂを中心に回転し、コンバイナ５の向きをユーザの所望する角度に調整することができる。
【００３９】
また、立ち上げ動作したコンバイナ５をケーシング１１の内部の収納位置に没入動作する際は、モータ２７を上記と逆方向へ回転することにより、駆動板２４を図１３に示す後退位置から図８に示す前進位置まで移動させれば良い。
【００４０】
以上説明したように、本実施形態例に係るＨＵＤ装置１では、コンバイナ５の移動経路上に設けられた第１開口部２が第１カバー７によって開放動作されると共に、発光ユニット６の投光部である第２ミラー１９からコンバイナ５に照射される光路上に設けられた第２開口部３が第２カバー８によって開放動作されるが、コンバイナ５を使用位置よりも上方の最上位置まで移動させた状態で、第２カバー８がコンバイナ５の移動経路を横切って開放動作されるようになっているため、第２カバー８をコンバイナ５と干渉することなくケーシング１１の内部に収納させることができる。したがって、第２カバー８の開放動作前にコンバイナ５を直ちに立ち上げ動作させることができると共に、第１カバー７と第２カバー８が両方共に前方へ移動してケーシング１１内の収納されるようになっているため、ケーシング１１の後方下部に第２カバー８の収納スペースを確保する必要がなくなり、装置全体を前後方向に小型化してスピードメータ等の計器類との干渉を防止することができる。
【００４１】
また、本実施形態例では、ケーシング１１の内部にコンバイナ５を移動可能に支持する一対の第１ガイド部材２２が設けられており、第２カバー８の左右方向における幅寸法Ｗ２が一対の第１ガイド部材２２の対向間距離Ｗ１よりも狭く設定されているため、第２カバーが最上位置まで移動したコンバイナ５の下方を通過してケーシング１１の内部に収納されるとき、ケーシング１１の内部に没入した第２カバー８と第１ガイド部材２２との干渉を防止することができる。しかも、コンバイナ５の下端部に支持体１３が固定されており、この支持体１３の左右両端部から突出する一対の脚片１３ａが第１ガイド部材２２に移動可能に支持されているため、コンバイナ５を収納位置と最上位置との間で安定的に移動することができる。さらに、第２カバー８の左右方向における幅寸法Ｗ２が一対の脚片１３ａの左右方向における幅寸法よりも狭く設定されているため、第２カバー８と一対の脚片１３ａとの干渉も防止されている。
【００４２】
なお、上記実施形態例では、発光ユニット６の表示光を第１ミラー１８と第２ミラー１９で反射させた後、この第２ミラー１９を投光部としてコンバイナ５へ表示光を照射するように構成されているが、使用されるミラーの数は２枚に限らず、例えば、発光ユニット６の表示光を第２ミラー１９のみを用いてコンバイナ５へ照射するようにしても良い。あるいは、ミラーを全く使用せずに発光ユニット６からコンバイナ５へ表示光を直接照射するようにしても良く、その場合は、発光ユニット６が投光部に相当することになる。
【符号の説明】
【００４３】
１  ＨＵＤ装置（ヘッドアップディスプレイ装置）
２  第１開口部
３  第２開口部
４  上部ケース
５  コンバイナ  
６  発光ユニット
７  第１カバー
８  第２カバー
９  駆動機構（駆動制御手段）
１０  下部ケース
１１  ケーシング
１２  シャーシ
１３  支持体
１３ａ  脚片
１４  作動板
１５  第１リンクアーム
１６  中継ギア
１７  扇形ギア
１８  第１ミラー
１９  第２ミラー（投光部）
２０  第２リンクアーム
２１  ピン
２２  第１ガイド部材（ガイド部材）
２３  第２ガイド部材
２４  駆動板
２４ａ，２４ｂ，２４ｃ  カム孔
２５  ギア
２６  同期シャフト
２７  モータ
Ｓ  空間
【図１】
0006608330.tif 000002
【図２】
0006608330.tif 000003
【図３】
0006608330.tif 000004
【図４】
0006608330.tif 000005
【図５】
0006608330.tif 000006
【図６】
0006608330.tif 000007
【図７】
0006608330.tif 000008
【図８】
0006608330.tif 000009
【図９】
0006608330.tif 000010
【図１０】
0006608330.tif 000011
【図１１】
0006608330.tif 000012
【図１２】
0006608330.tif 000013
【図１３】
0006608330.tif 000014
【図１４】
0006608330.tif 000015